(57)【要約】【課題】  共同チラシの発注を促進することができる共同チラシ作成方法、共同チラシ作成システム、及び受注装置を提供する。【解決手段】  共同チラシ受注サーバ１は、広告発注者による発注数の増減に応じて１発注当たりの価格が増減するように定められた価格情報を記憶した価格情報データベース１４２と、広告発注者側の端末から発注情報を受信した場合に、価格情報データベース１４２に記憶されている価格情報を参照する価格情報参照手段と、前記価格情報参照手段によって参照された価格情報にしたがって、既に受注している広告に対する価格を決定する価格決定手段とを具備している。【選択図】    図２
2011081752.tif 000002
【特許請求の範囲】
【請求項１】
共同チラシへの広告掲載を希望する広告発注者側の端末と、当該端末と通信ネットワークを介して通信可能に接続される共同チラシの受注装置とを備えるコンピュータシステムを用いて、共同チラシの作成を行う共同チラシ作成方法において、
前記受注装置は、広告発注者による発注数の増減に応じて１発注当たりの価格が増減するように定められた価格情報を記憶した価格情報データベースを具備しており、
前記端末から前記受注装置に対して、共同チラシの配布日及び配布地域を含む広告の発注に関する発注情報を送信するステップと、
前記端末から発注情報を受信した前記受注装置が、前記価格情報データベースに記憶されている価格情報を参照するステップと、
参照した価格情報にしたがって、前記受注装置が、既に受注している広告に対する価格を決定するステップと
を有することを特徴とする、共同チラシ作成方法。
【請求項２】
前記価格情報は、広告発注者による発注数の増減及び共同チラシにおける広告領域の大小に応じて１発注当たりの価格が増減するように定められており、
前記発注情報を送信するステップにおいて、共同チラシの配布日及び配布地域並びに当該共同チラシにおける広告領域の大きさを含む広告の発注に関する発注情報を、前記端末から前記受注装置に対して送信する、請求項１に記載の共同チラシ作成方法。
【請求項３】
前記端末から発注情報を受信した前記受注装置が、当該発注情報に係る広告の共同チラシにおける掲載位置を決定するステップと、
決定した掲載位置を示す掲載位置情報を、前記受注装置から前記端末に対して送信するステップと
をさらに有する、請求項１または２に記載の共同チラシ作成方法。
【請求項４】
前記掲載位置情報には、広告の共同チラシにおける掲載位置とともに、共同チラシに掲載される広告の業種が示されている、請求項３に記載の共同チラシ作成方法。
【請求項５】
同一の共同チラシに掲載されることを希望する広告の業種を示す同時掲載希望業種情報を、前記端末から前記受注装置に対して送信するステップと、
複数の前記端末から前記同時掲載希望業種情報を受信した前記受注装置が、当該同時掲載希望業種情報を蓄積するステップと、
前記受注装置が、蓄積された前記同時掲載希望業種情報に基づいて、互いに同一の共同チラシに掲載されることを希望する広告発注者を特定し、特定した広告発注者側の端末に対して同時掲載希望の広告発注者が存在することを示す情報を送信するステップと
をさらに有する、請求項１乃至４の何れかに記載の共同チラシ作成方法。
【請求項６】
同一の共同チラシに掲載されることを拒否する広告の業種を示す同時掲載拒否業種情報を、前記端末から前記受注装置に対して送信するステップと、
前記端末から前記同時掲載拒否業種情報を受信した前記受注装置が、当該同時掲載拒否業種情報を蓄積するステップと、
前記発注情報を受信した前記受注装置が、蓄積された前記同時掲載拒否業種情報において当該発注情報に係る広告の業種が示されているか否かを判定するステップと、
前記受注装置が、前記同時掲載拒否業種情報において前記発注情報に係る広告の業種が示されていると判定した場合に、同時掲載拒否対象の広告発注者が存在することを示す情報を、同時掲載を拒否する広告発注者側の端末に対して送信するステップと
をさらに有する、請求項１乃至５の何れかに記載の共同チラシ作成方法。
【請求項７】
共同チラシへの広告掲載を希望する広告発注者側の端末と、当該端末と通信ネットワークを介して通信可能に接続される共同チラシの受注装置とを備える共同チラシ作成システムにおいて、
前記端末は、
共同チラシの配布日及び配布地域を含む広告の発注に関する発注情報を前記受注装置に対して送信する発注情報送信手段
を具備し、
前記受注装置は、
広告発注者による発注数の増減に応じて１発注当たりの価格が増減するように定められた価格情報を記憶した価格情報データベースと、
前記端末から発注情報を受信した場合に、前記価格情報データベースに記憶されている価格情報を参照する価格情報参照手段と、
前記価格情報参照手段によって参照された価格情報にしたがって、既に受注している広告に対する価格を決定する価格決定手段と
を具備することを特徴とする、共同チラシ作成システム。
【請求項８】
前記価格情報は、広告発注者による発注数の増減及びチラシにおける広告領域の大小に応じて１発注当たりの価格が増減するように定められており、
前記発注情報送信手段は、チラシの配布日及び配布地域並びに当該チラシにおける広告領域の大きさを含む広告の発注に関する発注情報を前記受注装置に対して送信するように構成されている、請求項７に記載の共同チラシ作成システム。
【請求項９】
前記受注装置は、
前記発注情報を受信した場合に、当該発注情報に係る広告の共同チラシにおける掲載位置を決定する掲載位置決定手段と、
前記掲載位置決定手段によって決定された掲載位置を示す掲載位置情報を前記端末に対して送信する掲載位置情報送信手段と
をさらに具備する、請求項７または８に記載の共同チラシ作成システム。
【請求項１０】
前記掲載位置情報には、広告の共同チラシにおける掲載位置とともに、共同チラシに掲載される広告の業種が示されている、請求項９に記載の共同チラシ作成システム。
【請求項１１】
前記端末は、
同一の共同チラシに掲載されることを希望する広告の業種を示す同時掲載希望業種情報を前記受注装置に対して送信する同時掲載希望業種情報送信手段
をさらに具備し、
前記受注装置は、
複数の前記端末から前記同時掲載希望業種情報を受信した場合に、当該同時掲載希望業種情報を蓄積する同時掲載希望業種情報蓄積手段と、
前記同時掲載希望業種情報蓄積手段によって蓄積された前記同時掲載希望業種情報に基づいて、互いに同一の共同チラシに掲載されることを希望する広告発注者を特定し、特定した広告発注者側の端末に対して同時掲載希望の広告発注者が存在することを示す情報を送信する送信手段と
をさらに具備する、請求項７乃至１０の何れかに記載の共同チラシ作成システム。
【請求項１２】
前記端末は、
同一の共同チラシに掲載されることを拒否する広告の業種を示す同時掲載拒否業種情報を前記受注装置に対して送信する同時掲載拒否業種情報送信手段
をさらに具備し、
前記受注装置は、
前記端末から前記同時掲載拒否業種情報を受信した場合に、当該同時掲載拒否業種情報を蓄積する同時掲載拒否業種情報蓄積手段と、
前記発注情報を受信した場合に、前記同時掲載拒否業種情報蓄積手段によって蓄積された前記同時掲載拒否業種情報において当該発注情報に係る広告の業種が示されているか否かを判定する判定手段と、
前記判定手段によって前記同時掲載拒否業種情報において前記発注情報に係る広告の業種が示されていると判定された場合に、同時掲載拒否対象の広告発注者が存在することを示す情報を、同時掲載を拒否する広告発注者側の端末に対して送信する送信手段と
をさらに具備する、請求項７乃至１１の何れかに記載の共同チラシ作成システム。
【請求項１３】
共同チラシへの広告掲載を希望する広告発注者側の端末と通信ネットワークを介して通信可能に接続される共同チラシの受注装置において、
広告発注者による発注数の増減に応じて１発注当たりの価格が増減するように定められた価格情報を記憶した価格情報データベースと、
共同チラシの配布日及び配布地域を含む広告の発注に関する発注情報を前記端末から受信した場合に、前記価格情報データベースに記憶されている価格情報を参照する価格情報参照手段と、
前記価格情報参照手段によって参照された価格情報にしたがって、既に受注している広告に対する価格を決定する価格決定手段と
を備えることを特徴とする、受注装置。
【発明の詳細な説明】
【技術分野】
【０００１】
本発明は、複数の広告発注者の広告を掲載する共同チラシを作成する共同チラシ作成方法、その方法を実施する共同チラシ作成システム、及びそのシステムが備える受注装置に関する。
【背景技術】
【０００２】
近年、新聞の折り込みチラシ等において、複数の広告発注者の広告を掲載する所謂共同チラシが作成されている。このような共同チラシの場合、単独の広告発注者の広告のみを掲載する通常のチラシと比べて、広告発注者当たりの費用を低減することができるという利点がある。
【０００３】
上記のような共同チラシを作成するためのコンピュータシステムとして、特許文献１には、チラシの配布地域、配布希望日及び部数を含むチラシ作成条件を広告発注者から受け取り、そのチラシ作成条件に基づいて広告デザインの作成及び広告費用の算出を行う共同チラシ作成システムが開示されている。この共同チラシ作成システムによれば、配布枚数・配布日・配布地域等の条件が類似する複数の広告発注者を効率良くまとめることが可能になる。
【０００４】
また、特許文献２には、共同チラシの配布日及び配布地域に対応した共同チラシ１枚当たりの費用と配布枚数から算出される総額とが格納されたデータベースを備える共同チラシ作成システムが開示されている。この共同チラシ作成システムによれば、当該データベースに格納されている情報を広告発注者に伝えることにより、共同チラシの配布枚数及び共同チラシの発行に要する費用を事前に明確にすることができる。
【先行技術文献】
【特許文献】
【０００５】
【特許文献１】特開２００２−４２１４４号公報
【特許文献２】特開２００８−２０４０４６号公報
【発明の概要】
【発明が解決しようとする課題】
【０００６】
ところで、共同チラシの場合、広告発注者による発注数に応じてページ数が増減し、それに伴って印刷コスト等が変動することになるため、共同チラシ作成システムには、当該発注数に応じて広告掲載に要する費用が変動するという機能が備わっていることが望ましいといえる。しかしながら、上述した従来の共同チラシ作成システムの場合、費用は配布枚数及び配布地域等に応じて変動するのみであり、発注数に応じて費用が変動するという機能は実現されていない。
【０００７】
本発明は斯かる事情に鑑みてなされたものであり、その主たる目的は、上記課題を解決することができる共同チラシ作成方法、その方法を実施する共同チラシ作成システム、及びそのシステムが備える受注装置を提供することにある。
【課題を解決するための手段】
【０００８】
本発明者等は、共同チラシの場合、広告発注者による発注数が増えれば増えるほど１発注当たりの費用が低減するという関係を成立させることにより、広告発注者による発注数の増大を図ることができるものと考えた。そして、本発明者等は、この考えに基づいて、以下の発明を行った。
【０００９】
本発明の一の態様の共同チラシ作成方法は、共同チラシへの広告掲載を希望する広告発注者側の端末と、当該端末と通信ネットワークを介して通信可能に接続される共同チラシの受注装置とを備えるコンピュータシステムを用いて、共同チラシの作成を行う共同チラシ作成方法において、前記受注装置は、広告発注者による発注数の増減に応じて１発注当たりの価格が増減するように定められた価格情報を記憶した価格情報データベースを具備しており、前記端末から前記受注装置に対して、共同チラシの配布日及び配布地域を含む広告の発注に関する発注情報を送信するステップと、前記端末から発注情報を受信した前記受注装置が、前記価格情報データベースに記憶されている価格情報を参照するステップと、参照した価格情報にしたがって、前記受注装置が、既に受注している広告に対する価格を決定するステップとを有している。
【００１０】
このように構成することにより、発注数が増えるにしたがって１発注当たりの価格を下げることが可能になるため、共同チラシに対する発注を促すことができる。
【００１１】
この態様において、前記価格情報が、広告発注者による発注数の増減及び共同チラシにおける広告領域の大小に応じて１発注当たりの価格が増減するように定められており、  前記発注情報を送信するステップにおいて、共同チラシの配布日及び配布地域並びに当該共同チラシにおける広告領域の大きさを含む広告の発注に関する発注情報を、前記端末から前記受注装置に対して送信するようにしてもよい。
【００１２】
また、この態様において、前記端末から発注情報を受信した前記受注装置が、当該発注情報に係る広告の共同チラシにおける掲載位置を決定するステップと、決定した掲載位置を示す掲載位置情報を、前記受注装置から前記端末に対して送信するステップとをさらに有していてもよい。
【００１３】
また、この態様において、前記掲載位置情報には、広告の共同チラシにおける掲載位置とともに、共同チラシに掲載される広告の業種が示されていてもよい。
【００１４】
また、この態様において、同一の共同チラシに掲載されることを希望する広告の業種を示す同時掲載希望業種情報を、前記端末から前記受注装置に対して送信するステップと、  複数の前記端末から前記同時掲載希望業種情報を受信した前記受注装置が、当該同時掲載希望業種情報を蓄積するステップと、前記受注装置が、蓄積された前記同時掲載希望業種情報に基づいて、互いに同一の共同チラシに掲載されることを希望する広告発注者を特定し、特定した広告発注者側の端末に対して同時掲載希望の広告発注者が存在することを示す情報を送信するステップとをさらに有していてもよい。
【００１５】
また、この態様において、同一の共同チラシに掲載されることを拒否する広告の業種を示す同時掲載拒否業種情報を、前記端末から前記受注装置に対して送信するステップと、  前記端末から前記同時掲載拒否業種情報を受信した前記受注装置が、当該同時掲載拒否業種情報を蓄積するステップと、前記発注情報を受信した前記受注装置が、蓄積された前記同時掲載拒否業種情報において当該発注情報に係る広告の業種が示されているか否かを判定するステップと、前記受注装置が、前記同時掲載拒否業種情報において前記発注情報に係る広告の業種が示されていると判定した場合に、同時掲載拒否対象の広告発注者が存在することを示す情報を、同時掲載を拒否する広告発注者側の端末に対して送信するステップとをさらに有していてもよい。
【００１６】
また、本発明の一の態様の共同チラシ作成システムは、共同チラシへの広告掲載を希望する広告発注者側の端末と、当該端末と通信ネットワークを介して通信可能に接続される共同チラシの受注装置とを備える共同チラシ作成システムにおいて、前記端末が、共同チラシの配布日及び配布地域を含む広告の発注に関する発注情報を前記受注装置に対して送信する発注情報送信手段を具備し、前記受注装置が、広告発注者による発注数の増減に応じて１発注当たりの価格が増減するように定められた価格情報を記憶した価格情報データベースと、前記端末から発注情報を受信した場合に、前記価格情報データベースに記憶されている価格情報を参照する価格情報参照手段と、前記価格情報参照手段によって参照された価格情報にしたがって、既に受注している広告に対する価格を決定する価格決定手段とを具備している。
【００１７】
この態様において、前記価格情報が、広告発注者による発注数の増減及びチラシにおける広告領域の大小に応じて１発注当たりの価格が増減するように定められており、前記発注情報送信手段が、チラシの配布日及び配布地域並びに当該チラシにおける広告領域の大きさを含む広告の発注に関する発注情報を前記受注装置に対して送信するように構成されていてもよい。
【００１８】
また、この態様において、前記受注装置が、前記発注情報を受信した場合に、当該発注情報に係る広告の共同チラシにおける掲載位置を決定する掲載位置決定手段と、前記掲載位置決定手段によって決定された掲載位置を示す掲載位置情報を前記端末に対して送信する掲載位置情報送信手段とをさらに具備していてもよい。
【００１９】
また、この態様において、前記掲載位置情報には、広告の共同チラシにおける掲載位置とともに、共同チラシに掲載される広告の業種が示されていてもよい。
【００２０】
また、この態様において、前記端末が、同一の共同チラシに掲載されることを希望する広告の業種を示す同時掲載希望業種情報を前記受注装置に対して送信する同時掲載希望業種情報送信手段をさらに具備し、前記受注装置が、複数の前記端末から前記同時掲載希望業種情報を受信した場合に、当該同時掲載希望業種情報を蓄積する同時掲載希望業種情報蓄積手段と、前記同時掲載希望業種情報蓄積手段によって蓄積された前記同時掲載希望業種情報に基づいて、互いに同一の共同チラシに掲載されることを希望する広告発注者を特定し、特定した広告発注者側の端末に対して同時掲載希望の広告発注者が存在することを示す情報を送信する送信手段とをさらに具備していてもよい。
【００２１】
また、この態様において、前記端末が、同一の共同チラシに掲載されることを拒否する広告の業種を示す同時掲載拒否業種情報を前記受注装置に対して送信する同時掲載拒否業種情報送信手段をさらに具備し、前記受注装置が、前記端末から前記同時掲載拒否業種情報を受信した場合に、当該同時掲載拒否業種情報を蓄積する同時掲載拒否業種情報蓄積手段と、前記発注情報を受信した場合に、前記同時掲載拒否業種情報蓄積手段によって蓄積された前記同時掲載拒否業種情報において当該発注情報に係る広告の業種が示されているか否かを判定する判定手段と、前記判定手段によって前記同時掲載拒否業種情報において前記発注情報に係る広告の業種が示されていると判定された場合に、同時掲載拒否対象の広告発注者が存在することを示す情報を、同時掲載を拒否する広告発注者側の端末に対して送信する送信手段とをさらに具備していてもよい。
【００２２】
本発明の一の態様の受注装置は、共同チラシへの広告掲載を希望する広告発注者側の端末と通信ネットワークを介して通信可能に接続される共同チラシの受注装置において、広告発注者による発注数の増減に応じて１発注当たりの価格が増減するように定められた価格情報を記憶した価格情報データベースと、共同チラシの配布日及び配布地域を含む広告の発注に関する発注情報を前記端末から受信した場合に、前記価格情報データベースに記憶されている価格情報を参照する価格情報参照手段と、前記価格情報参照手段によって参照された価格情報にしたがって、既に受注している広告に対する価格を決定する価格決定手段とを備えている。
【発明の効果】
【００２３】
本発明に係る共同チラシ作成方法、共同チラシ作成システム及び受注装置によれば、同一の共同チラシに対する発注数が増えるにしたがって１発注当たりの費用を低減させることができる。
【図面の簡単な説明】
【００２４】
【図１】本発明の実施の形態１に係る共同チラシ作成システムの構成を示すブロック図。
【図２】本発明の実施の形態１に係る共同チラシ作成システムが備える共同チラシ受注サーバの構成を示すブロック図。
【図３】会員情報データベースに記憶されている会員情報のレイアウトの一例を示す図。
【図４】価格情報データベースに記憶されている価格情報のレイアウトの一例を示す図。
【図５】受注情報データベースに記憶されている受注情報のレイアウトの一例を示す図。
【図６】ブラックリストデータベースに記憶されているブラックリスト情報のレイアウトの一例を示す図。
【図７Ａ】共同チラシへの広告掲載の受発注を行う際に本発明の実施の形態１に係る共同チラシ作成システムが実行する処理の流れを示すフローチャート（前半）。
【図７Ｂ】共同チラシへの広告掲載の受発注を行う際に本発明の実施の形態１に係る共同チラシ作成システムが実行する処理の流れを示すフローチャート（後半）。
【図８】発注側端末の表示画面上に表示されるエントリー画面情報の一例を示す図。
【図９Ａ】発注側端末の表示画面上に表示されるレイアウト情報の一例を示す図。
【図９Ｂ】発注側端末の表示画面上に表示されるレイアウト情報の他の例を示す図。
【図１０】新たな購入価格の通知を行う際に本発明の実施の形態１に係る共同チラシ作成システムが備える共同チラシ受注サーバが実行する処理の流れを示すフローチャート。
【図１１】発注側端末の表示画面上に表示される確認画面情報の一例を示す図。
【図１２】本発明の実施の形態２において共同チラシ受注サーバが具備する会員情報データベースに記憶されている会員情報のレイアウトの一例を示す図。
【図１３】本発明の実施の形態２に係る共同チラシ作成システムが備える共同チラシ受注サーバがカップリング機能を実現するために実行する処理の流れを示すフローチャート。
【図１４】本発明の実施の形態２に係る共同チラシ作成システムが備える共同チラシ受注サーバが拒否業種選択機能を実現するために実行する処理の流れを示すフローチャート。
【図１５】本発明の実施の形態３に係る共同チラシ作成システムが備える共同チラシ受注サーバのレイアウト生成に伴う処理の流れを示すフローチャート。
【発明を実施するための形態】
【００２５】
以下、本発明の好ましい実施の形態について、図面を参照しながら説明する。
【００２６】
（実施の形態１）
実施の形態１に係る共同チラシ作成システムは、共同チラシの広告発注者の数が増えるにしたがって広告発注者当たりの費用を低減させることができるコンピュータシステムである。
【００２７】
［共同チラシ作成システムの構成］
図１は、本発明の実施の形態１に係る共同チラシ作成システムの構成を示すブロック図である。図１に示すように、本実施の形態の共同チラシ作成システムは、共同チラシに対する広告掲載の受注を行う共同チラシ受注サーバ１と、当該共同チラシ受注サーバ１に対して共同チラシへの広告掲載の発注を行う複数の発注側端末２，２…とを備えている。これらの共同チラシ受注サーバ１及び発注側端末２，２…は、インターネット等の通信ネットワーク１００を介して通信可能に接続されている。なお、共同チラシ受注サーバ１の構成の詳細について後述する。
【００２８】
発注側端末２，２…は、例えばパーソナルコンピュータ、携帯型電話機、及びＰＤＡ（Personal Digital Assistant）等のように、通信ネットワーク１００に接続可能な機能を有する情報機器であり、共同チラシ受注サーバ１との間でデータの送受信が可能なように構成されている。共同チラシへの広告掲載を希望する広告発注者は、発注側端末２が備える表示画面を用いることによって、共同チラシ受注サーバ１から送信された各種の情報を確認することができる。
【００２９】
図２は、本発明の実施の形態１に係る共同チラシ作成システムが備える共同チラシ受注サーバ１の構成を示すブロック図である。図２に示すように、共同チラシ受注サーバ１は、ＣＰＵ１１、メモリ１２、通信インタフェース１３及びハードディスク１４を備えており、これらのＣＰＵ１１、メモリ１２、通信インタフェース１３及びハードディスク１４はバスによって接続されている。
【００３０】
ＣＰＵ１１は、ハードディスク１４に記憶されているコンピュータプログラムを実行すする。これにより、共同チラシ受注サーバ１は、後述するような各種の動作を実行することが可能になる。
【００３１】
メモリ１２は、ＳＲＡＭまたはＤＲＡＭ等によって構成されており、ハードディスク１４に記憶されているコンピュータプログラムの読み出しに用いられる。また、メモリ１２は、ＣＰＵ１１がコンピュータプログラムを実行するときに、ＣＰＵ１１の作業領域としても利用される。
【００３２】
通信インタフェース１３は、通信ネットワーク１００を介して外部の装置と通信するためのインタフェースである。本実施の形態の場合、この通信インタフェース１３を用いることにより、発注側端末２との間でデータの送受信が行われる。
【００３３】
ハードディスク１４は、オペレーティングシステム及びアプリケーションプログラム等、ＣＰＵ１１に実行させるための種々のコンピュータプログラム並びに当該コンピュータプログラムを実行する際に用いられる各種のデータ等を記憶している。
なお、ハードディスクの代わりに、フラッシュメモリ等の他の不揮発性記憶装置を用いるようにしてもよい。
【００３４】
図１に示すように、ハードディスク１４には、会員情報データベース（ＤＢ）１４１、価格情報データベース（ＤＢ）１４２、受注情報データベース（ＤＢ）１４３及びブラックリストデータベース（ＤＢ）１４４が構築されている。以下、これらの各データベースの詳細について説明する。
【００３５】
図３は、会員情報ＤＢ１４１に記憶されている会員情報のレイアウトの一例を示す図である。図３に示すとおり、会員情報ＤＢ１４１に記憶されている会員情報は、会員ＩＤフィールド１４１Ａ、会社名フィールド１４１Ｂ、代表者名フィールド１４１Ｃ、業種フィールド１４１Ｄ、住所フィールド１４１Ｅ、電話番号フィールド１４１Ｆ、電子メールフィールド１４１Ｇ、及びパスワードフィールド１４１Ｈの各フィールドから構成されている。
【００３６】
会員ＩＤフィールド１４１Ａには、本実施の形態の共同チラシ作成システムを利用することができる会員を識別するための識別子である会員ＩＤが、会社名フィールド１４１Ｂには、当該会員である会社の会社名が、代表者名フィールド１４１Ｃには、その会社の代表者の氏名がそれぞれ格納される。また、業種フィールド１４１Ｄには、会員である会社が属する業種を表す業種名が格納され、住所フィールド１４１Ｅ及び電話番号フィールド１４１Ｆには、当該会社の住所及び電話番号がそれぞれ格納される。さらに、電子メールフィールド１４１Ｇには、電子メールによって会員に対して各種の情報を通知する際に用いられる電子メールアドレスが格納され、パスワードフィールド１４１Ｈには、ログインの際等に用いられる会員のパスワードが格納される。
【００３７】
上述した会員情報は、会員登録の際に各広告発注者から受け付けられた情報に基づいて生成される。その修正は、会員登録の後、適宜受け付けるようにしてもよい。なお、この会員登録は、広告発注者が発注側端末２を用いて共同チラシ受注サーバ１に対してアクセスすることによって行ってもよく、広告発注者が所定の事項を記入した用紙を共同チラシ作成システムの運営会社に郵送等することによって行ってもよい。
【００３８】
図４は、価格情報ＤＢ１４２に記憶されている価格情報のレイアウトの一例を示す図である。図４に示すように、この価格情報は、共同チラシにおける広告領域のサイズ及び枚数と価格（単位は「円」）との関係を示しており、広告領域のサイズが大きくなるにしたがって価格が上がる一方で、枚数（広告発注者による発注数）が増えるにしたがって価格が下がるように設定されている。
【００３９】
図４に示す例において、「紙面サイズ」は共同チラシの紙面のサイズ及び分量を示しており、“Ｂ５  ２ｐ”はＢ５サイズが２ページ分あることを、“Ｂ４  ２ｐ”はＢ４サイズが２ページ分あることを、“Ｂ４  ４ｐ”はＢ４サイズが４ページ分あることを、“Ｂ４  ８ｐ”はＢ４サイズが８ページ分あることをそれぞれ表している。
なお、図４に示す例では、「紙面サイズ」が“Ｂ４  ８ｐ”までしか示されていないが、“Ｂ４  １６ｐ”等のように“Ｂ４  ８ｐ”よりも大きなサイズについて示されるようにしてもよい。
【００４０】
また、図４における「枚数」は、Ｂ５サイズまたはＢ４サイズの広告面の枚数を表しており、縦方向に並べられている値はＢ５サイズの枚数を示し、横方向に並べられている値はＢ４サイズの枚数を示している。なお、本実施の形態においては、最終的に作成される共同チラシの大きさをＢ４サイズとする。そのため、Ｂ５サイズの広告面とは０．５面を意味し、Ｂ４サイズの広告面とは１面を意味する。
【００４１】
後述するように、広告発注者が共同チラシへの広告掲載を希望する場合、Ｂ５サイズ及びＢ４サイズの何れかを選択して発注を行う。そのため、その発注毎にＢ５サイズ及びＢ４サイズの何れかの広告面の枚数が増えることになるので、この「枚数」は広告発注者による発注数に相当するといえる。
【００４２】
図４に示す例において、「設定価格」は紙面サイズ毎に定められた０．５面（Ｂ５サイズ）または１面（Ｂ４サイズ）の広告単価を表しており、縦方向に並べられている値は０．５面の広告単価を示し、横方向に並べられている値は１面の広告単価を示している。したがって、例えば、紙面サイズがＢ５サイズ２ページ分の場合（「Ｂ５  ２ｐ」の場合）において０．５面が２枚あるときの０．５面の広告単価は「２２１，０００円」であり、紙面サイズがＢ４サイズ４ページ分の場合（「Ｂ４  ４ｐ」の場合）において０．５面が６枚あるときの広告単価は「１５１，０００円」である。また、紙面サイズがＢ４サイズ２ページ分の場合（「Ｂ４  ２ｐ」の場合）において１面が２枚あるときの１面の広告単価は「２３７，０００円」である。また、紙面サイズがＢ４サイズ４ページ分の場合（「Ｂ４  ４ｐ」の場合）において１面が４枚あるときの１面の広告単価は「２１１，０００円」である。
【００４３】
図４における「購入価格」は、０．５面と１面との構成比及び上記の設定価格に基づいて定められた広告単価を表しており、上段は０．５面の広告単価を、下段は１面の広告単価をそれぞれ示している。したがって、例えば、紙面サイズがＢ４サイズ２ページ分の場合（「Ｂ４  ２ｐ」の場合）であって、０．５面が１枚あり且つ１面が１枚あるときは、０．５面の広告単価が「２２１，０００円」となり、１面の広告単価が「２３７，０００円」となる。また、紙面サイズがＢ４サイズ８ページ分の場合（「Ｂ４  ８ｐ」の場合）であって、０．５面が８枚あり且つ１面が４枚あるときは、０．５面の広告単価が「１１５，０００円」となり、１面の広告単価が「１８７，０００円」となる。
この「購入価格」に示されている広告単価が、共同チラシへの広告掲載の発注にあたって広告発注者が実際に支払う必要のある費用となる。
【００４４】
図４に示す例を参照すると分かるように、広告面のサイズの大きい方（１面）が小さい方（０．５面）よりも広告単価が高く設定されている。すなわち、広告領域のサイズが大きくなるにしたがって広告単価が上がるように設定されている。また、広告面の枚数が多い方が少ない方よりも広告単価が低く設定されている。すなわち、広告面の枚数（広告発注者による発注数）が増えるにしたがって広告単価が下がるように設定されている。
【００４５】
なお、上記の価格情報は、配布エリア毎に異なる内容のものが用意されていてもよい。すなわち、配布エリア毎に異なる価格情報が設定されていてもよい。配布エリア毎に配布部数が異なったり、配達コストが異なったりするような場合は、配布エリア毎に価格情報を設定することにより、より実情に沿った価格設定を行うことができる。
【００４６】
図５は、受注情報ＤＢ１４３に記憶されている受注情報のレイアウトの一例を示す図である。図５に示すとおり、受注情報ＤＢ１４３に記憶されている受注情報は、会員ＩＤフィールド１４３Ａ、配布日フィールド１４３Ｂ、配布エリアフィールド１４３Ｃ、サイズフィールド１４３Ｄ、枚数フィールド１４３Ｅ、価格フィールド１４３Ｆ、位置フィールド１４３Ｇ、入金フィールド１４３Ｈ、及び受注日時フィールド１４３Ｉの各フィールドから構成されている。
【００４７】
会員ＩＤフィールド１４３Ａには、上述した会員情報と同様の会員ＩＤが、配布日フィールド１４３Ｂには、共同チラシの配布日が、配布エリアフィールド１４３Ｃには、共同チラシを配布する対象となるエリアを示す配布エリアがそれぞれ格納される。また、サイズフィールド１４３Ｄ、枚数フィールド１４３Ｅ及び価格フィールド１４３Ｆには、共同チラシにおける広告面のサイズ、その広告面の枚数及び購入価格がそれぞれ格納される。さらに、位置フィールド１４３Ｇには、共同チラシにおいて広告が掲載される位置を示す位置情報が、入金フィールド１４３Ｈには、購入価格の入金が行われたか否かを示す情報が、受注日時フィールド１４３Ｉには、受注が確定した日時がそれぞれ格納される。
【００４８】
なお、図５に示す例では、位置フィールド１４３Ｇに“１枚目表・上”、“１枚目裏”、及び“２枚目表”が格納されている。ここで、“１枚目表・上”は１枚目の表面の上段（０．５面）を、“１枚目裏”は１枚目の裏面（１面）を、“２枚目表”は２枚目の表面（１面）をそれぞれ意味している。
【００４９】
図６は、ブラックリストＤＢ１４４に記憶されているブラックリスト情報のレイアウトの一例を示す図である。図６に示すように、ブラックリストＤＢ１４４に記憶されているブラックリスト情報は、会員ＩＤフィールド１４４Ａ及び警告回数フィールド１４４Ｂの各フィールドから構成されている。
【００５０】
会員フィールド１４４Ａには、上述した会員情報と同様の会員ＩＤが、警告回数フィールド１４４Ｂには、会員が受けた警告の回数がそれぞれ格納される。ここで、警告とは、発注を済ませた会員がその後にキャンセルした場合等に共同チラシ受注サーバ１が発するものであり、その詳細については後述する。
【００５１】
［共同チラシ作成システムの動作］
次に、上述したように構成された本実施の形態に係る共同チラシ作成システムの動作について、フローチャートを参照しながら説明する。以下では、（１）共同チラシへの広告掲載の受発注を行う際の処理、（２）新たな購入価格の通知を行う際の処理の各処理に分けて、その動作を説明する。
【００５２】
（１）共同チラシへの広告掲載の受発注を行う際の処理
図７Ａ及び図７Ｂは、共同チラシへの広告掲載の受発注を行う際に本発明の実施の形態１に係る共同チラシ作成システムが実行する処理の流れを示すフローチャートである。
なお、以下の説明では、予め会員登録をした会員のみが本実施の形態の共同チラシ作成システムを利用することが可能となっているが、本発明はこれに限定されるわけではなく、例えば、会員登録を行っていないユーザに対して一時的に使用可能な仮の会員ＩＤを発行する等によって、未登録のユーザであっても利用可能なようにしてもよい。
【００５３】
まず、共同チラシへの広告掲載を希望する会員は、発注側端末２に対して、共同チラシ受注サーバ１にログインするために必要な会員ＩＤ及びパスワード等のログイン情報を入力する。発注側端末２は、このログイン情報の入力を受け付けた場合（Ｓ１０１）、受け付けたログイン情報を共同チラシ受注サーバ１に対して送信する（Ｓ１０２）。
【００５４】
共同チラシ受注サーバ１は、発注側端末２から送信されたログイン情報を受信した場合（Ｓ２０１）、その受信したログイン情報に示されている会員ＩＤ及びパスワードと会員情報ＤＢ１４１に記憶されている会員情報における会員ＩＤ及びパスワードとの照合を行うことによって認証処理を実行し（Ｓ２０２）、その処理結果に応じて認証に成功したか否かを判定する（Ｓ２０３）。
【００５５】
ステップＳ２０３において認証に失敗したと判定した場合（Ｓ２０３でＮＯ）、すなわち発注側端末２から受信した会員ＩＤ及びパスワードと会員情報における会員ＩＤ及びパスワードとの照合ができなかった場合、共同チラシ受注サーバ１は、認証に失敗したことを示す認証失敗情報を発注側端末２に対して送信する（Ｓ２０４）。
【００５６】
発注側端末２は、共同チラシ受注サーバ１から送信された認証失敗情報を受信した場合（Ｓ１０３）、その受信した認証失敗情報を表示画面上に表示し（Ｓ１０４）、処理を終了する。この表示を確認した会員は、必要に応じて、改めてログイン情報を発注側端末２に対して入力する等の対応をとることになる。
【００５７】
他方、ステップＳ２０３において認証に成功したと判定した場合（Ｓ２０３でＹＥＳ）、すなわち発注側端末２から受信した会員ＩＤ及びパスワードと会員情報における会員ＩＤ及びパスワードとの照合ができた場合、共同チラシ受注サーバ１は、受注情報ＤＢ１４３に記憶されている受注情報を参照することにより現在の購入価格等を確認する（Ｓ２０５）。そして、共同チラシ受注サーバ１は、当該購入価格等の情報が含まれた広告発注の入力を受け付けるためのエントリー画面情報を生成し（Ｓ２０６）、その生成したエントリー画面情報を発注側端末２に対して送信する（Ｓ２０７）。
【００５８】
発注側端末２は、共同チラシ受注サーバ１から送信されたエントリー画面情報を受信した場合（Ｓ１０５）、その受信したエントリー画面情報を表示画面上に表示する（Ｓ１０６）。
【００５９】
図８は、発注側端末２の表示画面上に表示されるエントリー画面情報の一例を示す図である。図８に示すとおり、エントリー画面情報には、「受付中発行週」、「締切り残り時間」及び「お買い上げ合計金額」の各欄と、Ｂ５サイズ及びＢ４サイズの広告の発注に関する情報を入力するための領域と、入力された情報を送信する際にクリックされる送信ボタンとが設けられている。
【００６０】
エントリー画面情報における「受付中発行週」の欄には、今回発注する広告を掲載する共同チラシが発行される週に関する情報が示される。図８に示す例では、“２００９年９月第１週”に発行されることと、具体的には８月３０日及び９月２日の折り込みチラシとして発行されることとが示されている。また、「締切り残り時間」には、今回の発行分についての発注の受付の締切りまでの残り時間が、「お買い上げ合計金額」には、今回発注した分の購入価格の合計額がそれぞれ示される。図８に示す例では、「締切り残り時間」が９時間、すなわち９時間後に発注の受付が締め切られることが示されており、また、「お買い上げ合計金額」が２２２，０００円であることが示されている。
【００６１】
また、Ｂ５サイズの広告の発注に関する情報を入力するための領域には、共同チラシの配布エリア毎に、その週の水曜日の折り込みチラシ（水曜便）の発注を受け付ける欄と、同じく土曜日の折り込みチラシ（土曜便）の発注を受け付ける欄と、水曜日及び土曜日の何れかを指定しないフリー便の発注を受け付ける欄と、年収１０００万円以上の世帯に配布されるダイレクトメールの発注を受け付ける欄と、１０歳以上の子供がいる世帯に配布されるダイレクトメールの発注を受け付ける欄とが設けられている。同様にして、Ｂ４サイズの広告の発注に関する情報を入力するための領域にも、上記の各広告の発注を受け付ける欄が設けられているが、図８に示す例では、フリー便の発注を受け付ける欄は設けられていない。
【００６２】
図８に示すとおり、各広告の発注を受け付ける欄の上段には現在の購入価格が示されおり、その下段には当該購入価格での発注を入力するためのラジオボタンと発注枚数（広告面の枚数）を入力可能な欄とが示されている。発注側端末２の表示画面上にてエントリー画面情報を確認した会員は、配布を希望するエリアにおける各広告の発注を受け付ける欄の下段に対して入力を行い、その後送信ボタンをクリックする。図８には、Ａ市に配布される土曜便のＢ５サイズを１枚、Ｂ市に配布される土曜便のＢ５サイズを１枚発注する場合の例が示されている。
【００６３】
なお、後述するように、本実施の形態では発注数に応じて購入価格が変化することになるが、エントリー画面情報において示される購入価格は、広告発注者が発注をした場合にその時点で当該発注に対して適用される価格である。
【００６４】
図７Ａに示すフローチャートに戻り、発注側端末２は、エントリー画面情報を介して、広告の発注に関する発注情報の入力を会員から受け付けた場合（Ｓ１０７）、その受け付けた発注情報を共同チラシ受注サーバ１に対して送信する（Ｓ１０８）。
【００６５】
共同チラシ受注サーバ１は、発注側端末２から送信された発注情報を受信した場合（Ｓ２０８）、その受信した発注情報の内容に応じて、共同チラシのレイアウトを示すレイアウト情報を生成する（Ｓ２０９）。このレイアウト情報には、広告の配置に関する情報の他、その広告の業種に関する情報が含まれている。より詳細について説明すると、共同チラシ受注サーバ１は、先に発注した広告発注者の広告面が先に掲載され、後に発注した広告発注者の広告面が後に掲載されるように、すなわち発注した順に広告面が前から掲載されるように（前から詰めるように）、共同チラシのレイアウトを決定し、そのレイアウトを示すレイアウト情報を生成する。ただし、例えば（ａ）Ｂ５サイズ、（ｂ）Ｂ４サイズ、（ｃ）Ｂ５サイズの順に発注があった場合は、（ａ）Ｂ５サイズが表面の上段に配置され、次の（ｂ）Ｂ４サイズが裏面に配置され、最後の（ｃ）Ｂ５サイズが表面の下段に配置される等のように、空きスペースの大きさとの関係で後に発注した広告発注者の広告面が先に掲載される場合もあり得る。
なお、共同チラシ受注サーバ１は、受注情報ＤＢ１４３に記憶されている受注情報における受注日時を参照することにより各発注の順序を知ることができる。また、各広告の業種については、会員情報ＤＢ１４１に記憶されている会員情報における業種名を参照することにより知ることができる。
【００６６】
共同チラシ受注サーバ１は、上述したようにして生成されたレイアウト情報を発注側端末２に対して送信する（Ｓ２１０）。発注側端末２は、このようにして共同チラシ受注サーバ１から送信されたレイアウト情報を受信した場合（Ｓ１０９）、その受信したレイアウト情報を表示画面上に表示する（Ｓ１１０）。
【００６７】
図９Ａ及び図９Ｂは、発注側端末２の表示画面上に表示されるレイアウト情報の例を示す図であり、図９Ａには共同チラシが１枚の場合（紙面サイズが“Ｂ４  ２ｐ”の場合）の例が、図９Ｂには共同チラシが２枚の場合（紙面サイズが“Ｂ４  ４ｐ”の場合）の例がそれぞれ示されている。
図９Ａに示す例では、表面の上段にＢ５サイズの飲食店の広告が、その下段にＢ５サイズの予備校の広告が、さらに裏面にＢ４サイズのＡＡＡ社（今回の広告発注者）の広告がそれぞれ配置されている。また、図９Ｂに示す例では、１枚目の表面の上段にＢ５サイズの飲食店の広告が、その下段にＢ５サイズの予備校の広告が、その裏面にＢ４サイズの旅行代理店の広告がそれぞれ配置され、２枚目の表面にＢ４サイズの不動産会社の広告が、その裏面の上段にＢ５サイズのＡＡＡ社（今回の広告発注者）の広告がそれぞれ配置されている。なお、２枚目裏面の下段は空きスペースとなっている。
【００６８】
発注側端末２の表示画面上で共同チラシのレイアウトを確認した会員は、発注を確定するか否かを判断する。そして、発注を確定すると判断した場合はその旨を示す発注確定情報を入力し、他方、発注を取りやめる場合はその旨を示す発注確定情報を入力する。
なお、レイアウト情報には、広告の配置に関する情報とその広告の業種に関する情報とが含まれているため、同一の共同チラシに掲載されることが好ましくないと考えられる業種の広告が近くに掲載されるか否か等を確認することができる。そのような広告の存在が確認できた場合等に、会員は発注を取りやめることになる。
【００６９】
発注側端末２は、会員から発注確定情報の入力を受け付けた場合（Ｓ１１１）、その受け付けた発注確定情報を共同チラシ受注サーバ１に対して送信する（Ｓ１１２）。
【００７０】
共同チラシ受注サーバ１は、発注側端末２から送信された発注確定情報を受信した場合（Ｓ２１１）、その受信した発注確定情報の内容に基づいて、受注を確定するか否かを判定する（Ｓ２１２）。具体的には、受信した発注確定情報が発注を確定する旨を示す情報であれば受注を確定すると判定し、発注を取りやめる旨を示す情報であれば受注に失敗したと判定する。そして、共同チラシ受注サーバ１は、受注に失敗したと判定した場合（Ｓ２１２でＮＯ）、受注に失敗したことを示す受注失敗情報を生成し（Ｓ２１３）、その生成した受注失敗情報を発注側端末２に対して送信する（Ｓ２１４）。
【００７１】
発注側端末２は、共同チラシ受注サーバ１から送信された受注失敗情報を受信した場合（Ｓ１１３）、その受信した受注失敗情報を表示画面上に表示し（Ｓ１１４）、処理を終了する。
【００７２】
他方、ステップＳ２１２において受注を確定すると判定した場合（Ｓ２１２でＹＥＳ）、共同チラシ受注サーバ１は、受注が確定したことを示す受注確定情報を生成し（Ｓ２１５）、その生成した受注確定情報を発注側端末２に対して送信する（Ｓ２１６）。
【００７３】
発注側端末２は、共同チラシ受注サーバ１から送信された受注確定情報を受信した場合（Ｓ１１５）、その受信した受注確定情報を表示画面上に表示し（Ｓ１１６）、処理を終了する。
【００７４】
共同チラシ受注サーバ１は、上述したようにして受注確定情報を送信した後、確定した受注に係る会員ＩＤ、配布エリア、広告面のサイズ、枚数、購入価格、共同チラシにおける位置及び受注が確定した日時を含む受注情報を受注情報ＤＢ１４３に登録することによって受注情報ＤＢ１４３を更新し（Ｓ２１７）、処理を終了する。
【００７５】
本実施の形態においては、上述した処理を実行することによって共同チラシへの広告掲載の受発注が完了する。本発明の場合、広告の発注数が増えるほど購入価格が下がることになるため、上記のようにして新たな受注が行われた場合、既に受注している広告の購入価格が下がることになる。次に、既に受注している広告に対して新たに適用される購入価格を決定し、その新たな購入価格を通知する場合に実行される処理について説明する。
【００７６】
（２）新たな購入価格の通知を行う際の処理
図１０は、新たな購入価格の通知を行う際に本発明の実施の形態１に係る共同チラシ作成システムが備える共同チラシ受注サーバが実行する処理の流れを示すフローチャートである。
共同チラシ受注サーバ１は、受注情報ＤＢ１４３に記憶されている受注情報を参照し（Ｓ３０１）、上述したようにして行われた新たな受注と同一の共同チラシに対する受注が既になされているか否かを判定する（Ｓ３０２）。具体的には、新たな受注に係る配布日及び配布エリアと一致する配布日及び配布エリアを有する受注情報があるか否かを判定することにより、新たな受注と同一の共同チラシに対する受注が既になされているか否かを判定する。
【００７７】
ステップＳ３０２において、新たな受注と同一の共同チラシに対する受注はまだなされていないと判定した場合（Ｓ３０２でＮＯ）、購入価格を変動させる必要がないため、共同チラシ受注サーバ１は処理を終了する。他方、新たな受注と同一の共同チラシに対する受注が既になされていると判定した場合（Ｓ３０２でＹＥＳ）、共同チラシ受注サーバ１は、価格情報ＤＢ１４２に記憶されている価格情報にしたがって、その既になされている受注に係る購入価格を決定する（Ｓ３０３）。
【００７８】
ステップＳ３０３の購入価格の決定について、具体例を挙げて図４を参照しながら詳述する。ここでは、１面（Ｂ４サイズ）が１枚、０．５面（Ｂ５サイズ）が２枚の受注が既に確定していたものとする。この場合、図４において縦軸が“Ｂ５  ２ｐ”の“２枚”で横軸が“Ｂ４  ２ｐ”の“１枚”となるため、０．５面の購入価格が１７８，０００円となり、１面の購入価格が２３７，０００円となる。このときに、０．５面が１枚の新たな受注があったとすると、縦軸の値が１つ下に行くことになる。その結果、縦軸が“Ｂ４  ２ｐ”の“３枚”で横軸が“Ｂ４  ２ｐ”の“１枚”となるため、０．５面の購入価格が１６３，０００円となり、１面の購入価格が２２４，０００円となる。このように、新たな受注があったことによって購入価格が下がることになり、ステップＳ３０３では、その変化後の購入価格を既になされている受注に係る購入価格に設定する。
なお、上記の例では、０．５面が３枚あり、１面が１枚あることになるため、共同チラシの紙面サイズはＢ４サイズ４ページ分となる。
【００７９】
図１０に戻り、共同チラシ受注サーバ１は、新たな受注があったために購入価格及び共同チラシのレイアウト等が変更したことを示す変更情報を生成する（Ｓ３０４）。そして、共同チラシ受注サーバ１は、会員情報ＤＢ１４１に記憶されている会員情報を参照して、既になされている受注に係る会員の電子メールアドレスを特定し、生成した変更情報を電子メールにて送信する（Ｓ３０５）。
【００８０】
上記の変更情報には、共同チラシの現在の状況を確認することが可能な確認画面情報を取得するためのＵＲＬ（Universal Resource Locator）が示されている。電子メールを受信した会員は、発注側端末２を用いて、その電子メールに示されているＵＲＬにアクセスし、確認画面情報を取得する。
【００８１】
図１１は、発注側端末２の表示画面上に表示される確認画面情報の一例を示す図である。図１１に示すように、確認画面情報には、上記電子メールを受信した会員が発注している広告の現在の状況が示されており、具体的には、「折り込み日」、「配布エリア」、「金額」及び「発注者数」の各欄に対応する情報が示されている。この「金額」の欄には、上述したステップＳ３０３で決定された新たな購入価格が示されることになる。
【００８２】
また、確認画面情報には、共同チラシの現在のレイアウトを確認する際にクリックされる確認ボタンが設けられている。この確認ボタンを会員がクリックした場合、図９Ａ及び図９Ｂに示されているようなレイアウト情報を取得することができ、これにより、当該会員は共同チラシの現在のレイアウト（まだ確定していない、暫定的なレイアウト）を確認することができる。
【００８３】
本実施の形態では、上述したようにして共同チラシへの広告掲載の受発注に関する処理が行われる。そして、新たな発注が行われる都度購入価格が下がり、発注の受付期間が終了した時点で購入価格が確定することになる。その後、発注した会員は、確定した購入価格を共同チラシ作成システムの運営会社側に入金する。その入金を確認した場合、共同チラシ受注サーバ１は、受注情報ＤＢ１４３に記憶されている受注情報の入金フィールド１４３Ｈに入金された旨の情報を格納する。
【００８４】
上述したようにして、本実施の形態では、発注数が増えれば増えるほど購入価格が下がるという機能が実現される。なお、受注が確定した後にキャンセルが発生した場合に既になされている受注に係る購入価格が上がることになると、当該受注に係る会員に不都合が生じることになるため、その場合は購入価格を変動させないことが望ましい。ただし、その場合は共同チラシ作成システムの運営会社側がキャンセル分に係る費用を負担することになるため、このようなキャンセルをした会員に対しては何らかのペナルティを与えるべきであると考えられる。そこで、本実施の形態では、共同チラシ受注サーバ１がそのようなキャンセルをした会員に対して電子メールを用いて警告を発し、その警告した回数をブラックリストＤＢ１４４に登録する。そして、その警告回数が所定回数以上になった場合、上述したステップＳ２０２の認証処理において認証しないようにして、当該会員が共同チラシ作成システムを利用することを禁止する等の措置をとる。
【００８５】
また、発注した会員から所定期間中に入金がなかった場合も同様にして共同チラシ受注サーバ１が電子メール等を用いて当該会員に警告を発し、その警告した回数をブラックリストＤＢ１４４に登録することにより、入金をしなかった会員に対してペナルティを与えるようにする。なお、この場合は、上記のキャンセルの場合よりも悪質であると考えられるため、１回の警告だけで共同チラシ作成システムの利用を禁止するようにしてもよい。
【００８６】
上述したようにブラックリストＤＢ１４４を活用することによって、キャンセルを繰り返したり、入金を怠ったりするような会員の利用を排除することが可能になる。
【００８７】
（実施の形態２）
実施の形態２は、同一の共同チラシに掲載されることを希望する広告発注者同士を結び付けるカップリング機能、及び同一の共同チラシに掲載されることを拒否する業種を選択する拒否業種選択機能を実現することができる共同チラシ作成システムである。
なお、本実施の形態の共同チラシ作成システムの構成については、後述する会員情報の内容以外は実施の形態１の場合と同様であるので、説明を省略する。
【００８８】
図１２は、本発明の実施の形態２において共同チラシ受注サーバ１が具備する会員情報ＤＢ１４１に記憶されている会員情報のレイアウトの一例を示す図である。
図１２に示すとおり、会員情報ＤＢ１４１に記憶されている会員情報は、実施の形態１と同様の会員ＩＤフィールド１４１Ａ、会社名フィールド１４１Ｂ、代表者名フィールド１４１Ｃ、業種フィールド１４１Ｄ、住所フィールド１４１Ｅ、電話番号フィールド１４１Ｆ、電子メールフィールド１４１Ｇ、及びパスワードフィールド１４１Ｈの各フィールドと、同時掲載希望フィールド１４１Ｉ及び同時掲載拒否フィールド１４１Ｊとから構成されている。
【００８９】
同時掲載希望フィールド１４１Ｉには、会員が同一の共同チラシに掲載されることを希望する業種（以下、「同時掲載希望業種」という）の業種名が、同時掲載拒否フィールド１４１Ｊには、会員が同一の共同チラシに掲載されることを拒否する業種（以下、「同時掲載拒否業種」という）の業種名がそれぞれ格納される。
なお、上記の同時掲載希望業種及び同時掲載拒否業種の登録は、会員登録の際及び会員登録以降に会員から受け付けるようにすればよい。
【００９０】
以下、本実施の形態の共同チラシ作成システムにて実現されるカップリング機能及び拒否業種選択機能における処理について、フローチャートを参照しながら説明する。
【００９１】
［カップリング機能］
図１３は、本発明の実施の形態２に係る共同チラシ作成システムが備える共同チラシ受注サーバがカップリング機能を実現するために実行する処理の流れを示すフローチャートである。
まず会員は、発注側端末２に対して、同時掲載希望業種の業種名を示す同時掲載希望情報を入力する。この入力を受け付けた発注側端末２は、その受け付けた同時掲載希望情報を共同チラシ受注サーバ１に対して送信する。
【００９２】
共同チラシ受注サーバ１は、発注側端末２から送信された同時掲載希望情報を受信した場合（Ｓ４０１）、会員情報ＤＢ１４１に記憶されている会員情報を参照する（Ｓ４０２）。そして、受信した同時掲載希望情報に示されている同時掲載希望業種の業種名が会員情報中の同時掲載希望フィールド１４１Ｉに格納されているか否かを判断することにより、同時掲載を希望している他の会員がいるか否かを判定する（Ｓ４０３）。
【００９３】
ステップＳ４０３において、同時掲載を希望している他の会員はいないと判定した場合（Ｓ４０３でＮＯ）、共同チラシ受注サーバ１は処理を終了する。他方、同時掲載を希望している他の会員がいると判定した場合（Ｓ４０３でＹＥＳ）、共同チラシ受注サーバ１は、その会員と同時掲載希望情報を送信した会員とを結び付けるために、これら両会員の会社名及び両会員が情報交換するための電子掲示板のＵＲＬを示すカップリング情報を生成し（Ｓ４０４）、その生成したカップリング情報を電子メールにて両会員宛に送信する（Ｓ４０５）。
【００９４】
その後、両会員は、発注側端末２を用いてカップリング情報に示されているＵＲＬにアクセスし、どのような広告を作成すれば訴求効果が高くなるか等について電子掲示板上で情報交換を行う。その結果、共同広告の内容等が確定した場合、これら両会員の共同チラシの作成を共同チラシ受注サーバ１に対して指示する。この場合、共同チラシ受注サーバ１は、図８と同様のエントリー画面情報を両会員宛に送信したり、両会員から共同チラシの配布日及び配布エリア等の情報を受信したりすることによって、当該両会員のみの共同チラシまたは当該両会員の広告を隣り合わせ（または表裏）に配置した共同チラシの作成について受注する。
なお、両会員に対して、それぞれが希望している配布エリア及び配布日等の各種の情報を電子メール等によって提供するようにしてもよい。
【００９５】
これ以外にも、例えば、共同チラシ受注サーバ１が、会員情報及び受注情報を参照することによって、同一の共同チラシに対して広告掲載を発注している複数の会員の中で互いに同時掲載を希望している会員が存在するか否かを判断し、存在する場合はそれらの会員の広告面を隣り合わせ（または表裏）に配置するようにレイアウトを変更する等の処理を行ってもよい。
【００９６】
［拒否業種選択機能］
図１４は、本発明の実施の形態２に係る共同チラシ作成システムが備える共同チラシ受注サーバが拒否業種選択機能を実現するために実行する処理の流れを示すフローチャートである。
共同チラシ受注サーバ１は、上述したステップＳ２０８と同様に、発注側端末２から送信された発注情報を受信した場合（Ｓ５０１）、会員情報ＤＢ１４１に記憶されている会員情報及び受注情報ＤＢ１４３に記憶されている受注情報を参照する（Ｓ５０２）。そして、同一の共同チラシに対して広告掲載の発注を行っている会員に係る会員情報の同時掲載拒否フィールド１４１Ｊに、受信した発注情報に係る会員の業種の業種名が格納されているか否かを判断することにより、同時掲載を拒否している会員がいるか否かを判定する（Ｓ５０３）。
【００９７】
ステップＳ５０３において、同時掲載を拒否している会員はいないと判定した場合（Ｓ５０３でＮＯ）、共同チラシ受注サーバ１は処理を終了する。他方、同時掲載を拒否している会員がいると判定した場合（Ｓ５０３でＹＥＳ）、共同チラシ受注サーバ１は、同時掲載拒否業種の会員から新たな受注があったことを示す拒否業種発生情報を生成し（Ｓ５０４）、その生成した拒否業種発生情報を、前記同時掲載を拒否している会員宛に電子メールにて送信する（Ｓ５０５）。
【００９８】
以上の処理の結果、既に発注を済ませている会員は、後に発注してきた会員の中に同時掲載を拒否している業種の会員がいることを知ることができる。この場合、当該発注を済ませている会員は、その発注をキャンセルする等の対応をとる。なお、この場合のキャンセルは上述した警告の対象にはしないことが望ましい。
【００９９】
なお、共同チラシ受注サーバ１は、ステップＳ５０３において同時掲載を拒否している会員がいると判定した場合（Ｓ５０３でＹＥＳ）、前記発注情報を送信した会員に対してその旨を示す情報を送信してもよい。これにより、当該会員は、自己の業種との同時掲載を拒否している会員が既に発注していることを知ることができるため、キャンセルの要否等を検討することが可能になる。この場合のキャンセルも上述した警告の対象にはしないことが望ましい。
【０１００】
（実施の形態３）
上述したように、実施の形態１に係る共同チラシ作成システムでは、広告掲載の発注順に前から詰めるようにして広告面を配置して共同チラシのレイアウトを行っている。これに対し、実施の形態３に係る共同チラシ作成システムは、共同チラシにおいて表表紙及び裏表紙が最も目立つことに着目し、特定の広告面をこれらの位置に優先的に配するレイアウト作成を実現することができる。
なお、本実施の形態の共同チラシ作成システムの構成については、実施の形態１の場合と同様であるので、説明を省略する。
【０１０１】
図１５は、本発明の実施の形態３に係る共同チラシ作成システムが備える共同チラシ受注サーバのレイアウト生成に伴う処理の流れを示すフローチャートである。
共同チラシ受注サーバ１は、上述したステップＳ２０８と同様に、発注側端末２から送信された発注情報を受信した場合（Ｓ６０１）、受注情報ＤＢ１４３に記憶されている受注情報を参照して当該発注情報に係る共同チラシが複数枚あるか否かを判定する（Ｓ６０２）。ここで、複数枚ない、すなわち現在のところ共同チラシは１枚のみであると判定した場合（Ｓ６０３でＮＯ）、共同チラシ受注サーバ１は、前記発注情報に係る広告面を適宜の位置に配し（例えば、複数の広告面がある場合は実施の形態１の場合と同様に前から詰める等）、そのレイアウトを示すレイアウト情報を生成し（Ｓ６０５）、その生成したレイアウト情報を発注側端末２に対して送信する（Ｓ６０６）。
【０１０２】
他方、ステップＳ６０２において、共同チラシは複数枚あると判定した場合（Ｓ６０２でＹＥＳ）、共同チラシ受注サーバ１は、先に発注された広告面が表表紙または裏表紙に配されるように、表表紙及び裏表紙のレイアウトを決定する（Ｓ６０３）。次に、共同チラシ受注サーバ１は、表表紙及び裏表紙に配されなかった広告面を、表表紙及び裏表紙以外の面に対して前から詰めるように配することによって、表表紙及び裏表紙以外の面のレイアウトを決定する（Ｓ６０４）。そして、共同チラシ受注サーバ１は、ステップＳ６０３及びＳ６０４によって決定された共同チラシのレイアウトを示すレイアウト情報を生成し（Ｓ６０５）、その生成したレイアウト情報を発注側端末２に対して送信する（Ｓ６０６）。
【０１０３】
上述したように、発注が先になされた広告発注者の広告面を優先的に表表紙または裏表紙に配するようにすることによって、できる限り早く発注をするように広告発注者を促すことが可能になる。
【０１０４】
これ以外にも、例えば、同じ広告面のサイズであっても、表表紙または裏表紙に配される場合の方が、それ以外の面に配される場合よりも、購入価格が高くなるように設定してもよい。この場合、表表紙及び裏表紙用の価格情報と、表表紙及び裏表紙以外の面用の価格情報とを価格情報ＤＢ１４２に記憶しておく等の対応が必要になる。
【０１０５】
（その他の実施の形態）
上記の各実施の形態の場合、共同チラシ受注サーバ１は単体の装置であるが、本発明はこれに限定されるわけではない。例えば、共同チラシ受注サーバ１が複数の装置から構成されており、これらの複数の装置が相互に通信し合うことによって上述した処理を実行するようにしてもよい。
【０１０６】
また、上記の各実施の形態では、価格情報ＤＢ１４２に記憶されている価格情報はテーブル形式のデータであるが、このような態様に限定されないことは言うまでもない。例えば、価格情報が数式で構成されており、新たな受注がなされた場合に当該数式を用いることによって新たな購入価格を算出するようにしてもよい。
【０１０７】
なお、上記の各実施の形態は適宜組み合わせることが可能である。
【産業上の利用可能性】
【０１０８】
本発明の共同チラシ作成方法、共同チラシ作成システム及び受注装置は、新聞の折り込みチラシ等の共同チラシを作成する共同チラシ作成方法、共同チラシ作成システム及び受注装置などとして有用である。
【符号の説明】
【０１０９】
１  共同チラシ受注サーバ
２  発注側端末
１２  メモリ
１３  通信インタフェース
１４  ハードディスク
１００  通信ネットワーク
１４１  会員情報データベース
１４２  価格情報データベース
１４３  受注情報データベース
１４４  ブラックリストデータベース
【図１】
2011081752.tif 000003
【図２】
2011081752.tif 000004
【図３】
2011081752.tif 000005
【図４】
2011081752.tif 000006
【図５】
2011081752.tif 000007
【図６】
2011081752.tif 000008
【図７Ａ】
2011081752.tif 000009
【図７Ｂ】
2011081752.tif 000010
【図８】
2011081752.tif 000011
【図９Ａ】
2011081752.tif 000012
【図９Ｂ】
2011081752.tif 000013
【図１０】
2011081752.tif 000014
【図１１】
2011081752.tif 000015
【図１２】
2011081752.tif 000016
【図１３】
2011081752.tif 000017
【図１４】
2011081752.tif 000018
【図１５】
2011081752.tif 000019